(57)【要約】【課題】従来の、レールを用いた吊り下げ装置は壁面への取付けが困難であったり、レールそのものの加工が困難であった。【解決手段】第１と第２のふたつの溝を有する断面がほぼ「Ｃ」字型のレール１と、異なる角度をもって貫通する２つ以上の貫通穴６ａ、６ｂを有するブロック体７と、この貫通穴にそれぞれ挿入するピン体８ａ，８ｂとから構成される固定要素２と、前記第２の溝５に引掛状に嵌合する吊下げ具３とから成り、レールの開口した第１の溝４の背面には間隔をおいて複数の穴１１を有し、前記固定要素２がこれらの穴１１に添え当てられて、前記ピン体８ａ、８ｂが固定要素２の異なる角度を有する貫通穴６ａ、６ｂに誘導されてレールの背面の穴１１を経由して建物の壁面に向けて異なる角度をもって圧入されるように構成したことを特徴とする吊り下げ装置である。【選択図】　図３
2004008761.tif 000002
【特許請求の範囲】
【請求項１】
レール、固定要素、吊下げ具から成る吊下げ装置において、長さ方向の正面側に開口した第１の溝と、下面側に開口し開口縁に引掛り縁を有する小さな第２の溝を有する、断面がほぼ「Ｃ」字型のレールと、入り側から反対面の抜け側へ向けて異なる角度をもって貫通する２つ以上の貫通穴を有するブロック体と、この貫通穴にそれぞれ挿入するピン体とから構成される固定要素と、前記第２の溝の縁に引掛状に嵌合する引掛け端部を有する吊下げ具とから成り、レールの開口した第１の溝の背面には間隔をおいて複数の穴を有し、前記固定要素の貫通穴の抜け側面がレールの背面のこれらの穴に添え当てられて、前記ピン体が固定要素の異なる角度を有する貫通穴に誘導されてレールの背面の穴を経由して建物の壁面に向けて異なる角度をもって圧入されるように構成したことを特徴とする吊り下げ装置。
【請求項２】
前記第１の溝の開口縁には上下にレール溝を設けて、このレール溝に嵌合される幅を有する帯状の装飾板とから構成されることを特徴とする請求項１に記載の吊下げ装置。
【請求項３】
固定要素の貫通穴の内、少なくともひとつは入り側から抜け側へ、上方へ向かう傾斜した角度を有し、前記第１の溝と第２の溝の隔壁は第１の溝の開口縁に向けて広がり状に傾斜していることを特徴とする請求項１、請求項２に記載の吊下げ装置。
【請求項４】
固定要素の抜け側面には、第１の溝の背面に間隔をおいて設けた穴に嵌合する突出部を設けたことを特徴とする請求項１、請求項２、請求項３に記載の吊下げ装置。
【請求項５】
第１の溝の背面に間隔をおいて設けた穴の上部に、前面へ向けて突き出す段部を設けたことを特徴とする請求項１、請求項２、請求項３、請求項４に記載の吊下げ装置。
【発明の詳細な説明】
【０００１】
【発明の属する技術分野】
この発明は、額縁や写真パネルなどの物品を壁面に吊り下げる時に使用する吊り下げ用レールに関するものである。
【０００２】
【従来の技術】
額縁などの吊り下げにおいて、その吊り下げる物品の種類によって従来技術にはいくらかの相違が見られるが、この発明では特に一般の家庭で吊り下げられることの多い小型、軽量な額縁や写真パネルなどを対象としている。
【０００３】
壁面の希望の位置に額縁などを吊り下げる場合、その位置にねじの付いたフックなどが多用されるが、壁面にキズをつけることや、位置の変更が困難であるなどの理由から、レールを天井面と壁面の境界部に予め取り付けておき、このレールにフックを取り付けてワイヤーなどで適宜の高さに額縁などを吊り下げる装置と方法がよく知られている。
【０００４】
そのようなレールは図１に示したように、断面がおおむね「Ｃ」字型の、ひとつ、または複数の溝を有しており、レール２１ａはその背部の長さ方向に並んだ、ねじや釘用のいくつかの穴２２ａを有した構成から成り、壁面や天井面の桟木にねじや釘２３ａで取り付けられる。（登録特許第２７０４２５２号、特開平９年３０８５５９、実開昭５７年９９４６８号、実開昭５５年１０７０８８号、実開昭５５年１２９０８５号）
【０００５】
あるいは、壁面に壁面ボード（多くは「石膏ボード」と呼ばれる耐火性のある、柔らかい建材）が貼られた後であれば、ボードの裏側に隠れた桟木を探して、ねじや釘で取り付けることが困難になるため、図２に示したように、レール２１ｂの背部の長さ方向にいくつか並んだ、壁面に向かう角度の異なる細い釘用の穴２２ｂを設けて、これらの穴に細い釘を打込むことで取り付ける装置と方法が知られている。（実用新案登録第３０３６６４９号、実用新案登録第３０３６１１０号）
【０００６】
【発明が解決しようとする課題】
図１に示した従来のレール２１ａは、壁面ボードを貼る前に桟木に取り付けておかねばならない。つまり、住宅などの新築時にのみ実施できる装置である。本発明では、既存の壁面ボードの上から取り付けることのできるレールに関し、図１に示したレール２１ａでは壁面ボード裏の桟木の位置を探してねじなどで取り付けることは困難であり、図２に示すレール２１ｂのように壁面ボードに取り付ける工夫がなされてきた。しかし、このような場合には、レールの背部の長さ方向にいくつか並んだ、壁面に向かう角度の異なる細い釘用のいくつかの穴２２ｂをドリルなどで予めあけておかねばならない。ところが、ドリルを傾斜させてレールに傾斜穴をあけることは大変な工程と手数が要求される。本発明は、このような課題を解決することを課題としている。
【０００７】
【課題を解決するための手段】
上記のような課題を解決するため、請求項１の発明は長さ方向の正面側に開口した第１の溝と、下面側に開口し開口縁に引掛り縁を有する小さな第２の溝を有する、断面がほぼ「Ｃ」字型のレールと、入り側から反対面の抜け側へ向けて異なる角度をもって貫通する２つ以上の貫通穴を有するブロック体と、この貫通穴にそれぞれ挿入するピン体とから構成される固定要素と、前記第２の溝の縁に引掛状に嵌合する引掛け端部を有する吊下げ具とから成り、レールの開口した第１の溝の背面には間隔をおいて複数の穴を有し、前記固定要素の貫通穴の抜け側面がレールの背面のこれらの穴に添え当てられて、前記ピン体が固定要素の異なる角度を有する貫通穴に誘導されてレールの背面の穴を経由して建物の壁面に向けて異なる角度をもって圧入されるように構成したことを特徴とする吊り下げ装置である。
【０００８】
請求項２の発明は前記第１の溝の開口縁には上下にレール溝を設けて、このレール溝に嵌合される幅を有する帯状の装飾板とから構成されることを特徴とする請求項１に記載の吊下げ装置である。
【０００９】
請求項３の発明は固定要素の貫通穴の内、少なくともひとつは入り側から抜け側へ、上方へ向かう傾斜した角度を有し、前記第１の溝と第２の溝の隔壁は第１の溝の開口縁に向けて広がり状に傾斜していることを特徴とする請求項１、請求項２に記載の吊下げ装置。
【００１０】
請求項４の発明は固定要素の抜け側面には、第１の溝の背面に間隔をおいて設けた穴に嵌合する突出部を設けたことを特徴とする請求項１、請求項２、請求項３に記載の吊下げ装置である。
【００１１】
請求項５の発明は第１の溝の背面に間隔をおいて設けた穴の上部に、前面へ向けて突き出す段部を設けたことを特徴とする請求項１、請求項２、請求項３、請求項４に記載の吊下げ装置である。
【００１２】
【発明の実施の形態】
以下、この発明の実施の形態を図示例と共に説明する。
【００１３】
図３に示す実施形態の吊り下げ装置は、レール１、固定要素２、吊下げ具３から成る吊下げ装置であり、長さ方向の正面側に開口した第１の溝４と、下面側に開口し開口縁に引掛り縁９を有する小さな第２の溝５を有する、断面がほぼ「Ｃ」字型のレール１と、入り側から反対面の抜け側へ向けて異なる角度をもって貫通する２つ以上の貫通穴６ａ、６ｂを有するブロック体７と、この貫通穴にそれぞれ挿入するピン体８ａ，８ｂとから構成される固定要素２と、前記第２の溝５の縁９に引掛状に嵌合する引掛け端部１０を有する吊下げ具３とから成り、レールの開口した第１の溝４の背面には間隔をおいて複数の穴１１を有し、前記固定要素２の貫通穴の抜け側面がレールの背面のこれらの穴１１に添え当てられて、前記ピン体８ａ、８ｂが固定要素２の異なる角度を有する貫通穴６ａ、６ｂに誘導されてレールの背面の穴１１を経由して建物の壁面に向けて異なる角度をもって圧入されるように構成したことを特徴とする吊り下げ装置である。
【００１４】
この発明の吊り下げ装置を、すでに貼られた壁面ボードの上に取り付ける場合は、まずレール１を第１の溝４の開口部を手前にして、その背面を壁面に、その上面を天井面に添え当てて、ピン体８ａ，８ｂを挿入した固定要素２を第１の溝４の内部に入れて穴１１に添え当てる。
【００１５】
つづいて、ピン体８ａ、８ｂの頭部を圧入する。壁面の建材は石膏ボードが多用されており、圧入は金づちなどを用いなくとも、コイン状のものでピン体の頭部を押すだけで実現できる。また、特に小型のものを除けば、金づちはピン体を溝内に押し込むには不向きである。ピン体の圧入で、その先端が壁面に突き刺さり貫通するとその部分の固定は完了する。レール１に複数設けられた穴１１に同様にして固定要素を取り付ける。
【００１６】
前記第１の溝の開口縁には上下にレール溝１２ａ、１２ｂを設けて、このレール溝に嵌合される幅を有する帯状の装飾板１３を上記の作業の後に嵌合すれば、美観の美しい仕上がりを得ることができる。
【００１７】
固定要素の貫通穴の数は、レールに要求される強度によって選択されるが、通常は２から４が適当であり、図４に示すように、例えば２つの場合、ひとつの穴６ａは入り側から抜け側へ下方へ向かう傾斜した角度を有し、残るひとつの穴６ｂは入り側から抜け側へ上方へ向かう傾斜した角度を有するようにし、ブロック体７の抜け側面では、２つの穴は近い場所に抜けるようにすることが望ましい。上方へ向かう穴６ｂにピン体８ｂを圧入する時に、レール１の第１の溝４と第２の溝５の隔壁１４とピン体８ｂが干渉することとなるので、隔壁は第１の溝の開口縁に向けて広がり状に傾斜している構成を採用した例を示している。
【００１８】
図４に示すように、固定要素２の抜け側面には、第１の溝４の背面に間隔をおいて設けた穴１１に嵌合する突出部１５を設けた構成を採用してもよい。このようにすることで、固定要素２を第１の溝４の内部に入れてピン体８ａ、８ｂを圧入する時に「位置決め」が容易になる。レール１に設ける穴１１の形は突出部１５が図示の例のように長方形である場合は、これに嵌合する長方形や楕円形の穴が選択されるが、限定されるものではなく、いずれの形状であっても、レール１の背面に対して垂直方向の貫通穴であるので、プレスによる加工を用いて容易に形成することができる。
【００１９】
また、第１の溝４の背面に間隔をおいて設けた穴１１の上部に、前面へ向けて突き出す段部１６を設ける構成を採用すれば、固定要素のブロック体７の上面がこの段部１６に接してレール１をより確実に支持することができる。
【００２０】
このようにして壁面に取り付けたレール１の下面側に開口し開口縁に引掛り縁９を有する小さな第２の溝５には、引掛状に嵌合する引掛け端部１０を有する吊下げ具３を嵌合する。引掛け端部１０の反対端部には図３に示すような吊下げ用の穴を設けて、この穴に絵画などを吊下げてもよいし、ワイヤーの固着機構を設け、ここからワイヤーを下げて、絵画などを掛けるようにしてもよい。
【００２１】
【発明の効果】
上述の説明の吊り下げ装置によれば、すでに壁面ボードが貼られた壁面にきわめて容易にレールを取り付けることができる。しかも、壁面には大きなキズをつけることもない。従来、この種のピン体を用いるレール構造では、レールにピン穴を加工することが困難であったが、本発明の吊下げ装置によれば、レールの穴は溝の開口からプレス加工などの経済的な方法で加工ができ、ブロック体は樹脂成型加工によって同じく経済的な方法で製造ができる。
【図面の簡単な説明】
【図１】従来の吊り下げ装置
【図２】従来の吊り下げ装置
【図３】この発明に係る吊り下げ装置
【図４】この発明に係る吊下げ装置の固定要素
【符号の説明】
１．　レール
２．　固定要素
３．　吊下げ具
４．　第１の溝
５．　第２の溝
６ａ．穴
６ｂ．穴
７．ブロック体
８ａ．ピン体
８ｂ．ピン体
９．引掛り縁
１０．引掛け端部
１１．複数の穴
１２ａ．レール溝
１２ｂ．レール溝
１３．装飾板
１４．隔壁
１５．突出部
１６．段部
【図１】
2004008761.tif 000003
【図２】
2004008761.tif 000004
【図３】
2004008761.tif 000005
【図４】
2004008761.tif 000006